(57)【要約】【課題】自らの身長を自分で簡単に計測でき、コンパクトで家庭用に適していて、しかもデザイン的にも優れた身長計測器を提供する。【解決手段】自らの身長を計測する者Ｍが摘み部２９を持って引き下げ、メジャー２７を前面パネル３の引き出し口１１から引き出し、屈むようにして更に摘み部２９が床に付くまでメジャー２７を引き出す。そして、摘み部２９を足の指で押さえて床上に固定してから立ち上がり、メジャー２７の頭頂部に対応する部分を指で挟む。次いで、頭を少しメジャー２７から離して、指で挟んでいる部分のメジャー２７の目盛を読む。このように自らの身長を計測する者Ｍだけで容易に身長を計測することができる。【選択図】        図４
0003116239.tif 000002
【実用新案登録請求の範囲】
【請求項１】
前面パネルと前面パネルに固定されたメジャーボックスとから成る本体部と、前記本体部を壁等に固定するための固定手段と、前記前面パネルに形成された引き出し口と、前記メジャーボックスに収容された状態と前記引き出し口から引き出された状態とに動作可能なメジャーとを有するメジャー装置と、前記メジャーの先端部に取り付けられ前記引き出し口から出て前面パネルの前側に位置する摘み部とを有することを特徴とする身長計測器。
【請求項２】
請求項１に記載した身長計測器において、メジャー装置はメジャーをメジャーボックスに引き込む方向の付勢力を発揮する付勢手段と、メジャーの引き出し口から引き出された状態を付勢手段の付勢力に抗して保持する保持手段と、前記保持手段のメジャーに対する保持を解除する解除手段とを有しており、且つ前記解除手段をメジャーボックスの外から操作できる操作部材を備えたことを特徴とする身長計測器。
【請求項３】
請求項１または２に記載された身長計測器において、前面パネルのデザインと摘み部のデザインは、両方が合わさることで完成されたデザインを為すことを特徴とする身長計測器。
【考案の詳細な説明】
【技術分野】
【０００１】
本考案は身長計測器に係り、特に自らの身長を自分だけで容易に計測することができる身長計測器に関するものである。
【背景技術】
【０００２】
従来の身長計測器は、床に設置するベースと、ベース上に立設された棒状のメジャーと、このメジャーに上下動自在に取り付けられた摺動子とから成る。そして、身長の計測を望む者がメジャーの前に立ち、他の者が摺動子を下降させて、計測を望む者の頭頂部に当接させる。この状態で摺動子が停止している位置のメジャーの目盛を読み身長を計測する。
【考案の開示】
【考案が解決しようとする課題】
【０００３】
しかしながら、上記従来の身長計測器では自らの身長を自分だけで計測することができず、必ず他の者の助けが必要である。また、上記従来の身長計測器は家庭用としては大がかり過ぎるという不都合もある。
本考案は上記従来の問題点に着目して為されたものであり、自らの身長を自分だけで簡単に計測でき、コンパクトで家庭用に適していて、しかもデザイン的にも優れ、特に子供の興味を引く身長計測器を提供することを目的とする。
【課題を解決するための手段】
【０００４】
本考案は上記課題を解決するためになされたものであり、請求項１の考案は、前面パネルと前面パネルに固定されたメジャーボックスとから成る本体部と、前記本体部を壁等に固定するための固定手段と、前記前面パネルに形成された引き出し口と、前記メジャーボックスに収容された状態と前記引き出し口から引き出された状態とに動作可能なメジャーとを有するメジャー装置と、前記メジャーの先端部に取り付けられ前記引き出し口から出て前面パネルの前側に位置する摘み部とを有することを特徴とする身長計測器である。
【０００５】
請求項２の考案は、請求項１に記載した身長計測器において、メジャー装置はメジャーをメジャーボックスに引き込む方向の付勢力を発揮する付勢手段と、メジャーの引き出し口から引き出された状態を付勢手段の付勢力に抗して保持する保持手段と、前記保持手段のメジャーに対する保持を解除する解除手段とを有しており、且つ前記解除手段をメジャーボックスの外から操作できる操作部材を備えたことを特徴とする身長計測器である。
【０００６】
請求項３の考案は、請求項１または２に記載された身長計測器において、前面パネルのデザインと摘み部のデザインは、両方が合わさることで完成されたデザインを為すことを特徴とする身長計測器である。
【考案の効果】
【０００７】
本考案の身長計測器によれば、自らの身長を自分だけで簡単に計測できるようになる。
また、コンパクトで家庭用に適していて、しかもデザイン的にも優れており、特に子供の興味を引き、家庭において子供が遊戯感覚で楽しみながら、大人に手伝ってもらうことなく身長を計測することが可能となる。
【考案を実施するための最良の形態】
【０００８】
本考案の実施の形態に係る身長計測器１を図面にしたがって説明する。
身長計測器１の本体部２は前面パネル３とメジャーボックス７とから成る。
前面パネル３には牛が振り返っている姿のデザインが施されており、この前面パネル３には引き出し口５が形成されている。
前面パネル３の背面にはメジャーボックス７が固定されており、このメジャーボックス７はボックス本体８と蓋９とによって構成されている。
【０００９】
ボックス本体８の前板１０には引き出し口１１が形成されており、この引き出し口１１は、前面パネル３の引き出し口５に対向しており、これら引き出し口５、１１を介してメジャーボックス７内と前面パネル３の前面側の外部とが連通している。
また、ボックス本体８の側板１２の中心部には丸穴１６が形成されており、この丸穴１６には操作部材としてのピン１４が、その軸方向へ動作自在に差し込まれている。このピン１４は丸穴１６に嵌る円柱状の軸部１４ａと、この軸部１４ａの一端部に設けられた円盤状の頭部１４ｂとから成る。ピン１４は頭部１４ｂがボックス本体８内に位置するように側板１２の内側から外側に向かって差し込まれており、軸部の他端部が側板１２の外側の面から突出している。
【００１０】
ボックス本体８の後板１３には取り付け穴１５、１７が形成されており、取り付け穴１５、１７は上下方向に並んでいる。取り付け穴１５は円形部１５ａと、この円形部１５ａと連続し上方へ延びる延長部１５ｂとから成り、延長部１５ｂの幅寸法は円形部１５ａの直径より小さく形成されている。取り付け穴１７は円形に形成されている。
ボックス本体８には溝１９が形成されており、この溝１９に蓋９が上方から差し込まれて、蓋９がボックス本体８の開口を閉鎖する。
【００１１】
ボックス本体８には公知のメジャー装置２３が収容されている。このメジャー装置２３の構成について説明する。
ケース２５には図示しないリールに巻かれたメジャー２７が収容されており、このメジャー２７の先端部はケース２５の開口２８から突出している。またメジャー２７を巻き取る方向へ付勢するゼンマイバネ等から付勢手段（図示せず）が備えられている。更に、ケース２５から引き出されたメジャー２７を、その状態に保持する一方向クラッチ機構等から成る保持手段（図示せず）が備えられ、この保持手段の保持を解除する解除手段（図示せず）が備えられている。この解除手段はケース２５の中心部に備えられた解除ボタン２６を押すと作動して保持手段による保持が解除される。この解除ボタン２６はメジャー装置２３をメジャーボックス７に収容した状態でピン１４の頭部１４ｂが対向する。
【００１２】
メジャー２７の先端部はケース２５の開口から引き出され、更にボックス本体８の引き出し口１１、前面パネル３の引き出し口５から引き出されており、この前面パネル３の前側に突出させられ、この突出するメジャー２７の先端部に牛の尾を模したデザインの摘み部２９が取り付けられている。
上記のように、前面パネル３には牛が振り返った姿のデザインが施され、摘み部２９には牛の尾を模したデザインが施されている。従って、前面パネル３のデザインと摘み部２９のデザインは、両方が合わさることで完成されたデザインを為すものである。
【００１３】
次に、この身長計測器１の使用方法について説明する。
図２に示すように、建物の壁Ｋに雄ネジ３１を取り付けて、この雄ネジ１に身長計測器１の取り付け穴１５の円形部１５ａを入れ、メジャーボックス７を下降させて雄ネジ３１の軸部３１ａを延長部１５ｂに嵌める。延長部１５ｂの幅寸法は雄ネジ３１の頭部３１ｂの直径より小さいので、頭部３１ｂが延長部１５ｂの上端側の縁部と左右の縁部に係合して、メジャーボックス７を下方及び前方へ引っ張っても壁Ｋから外れるのが規制される。尚、必要に応じて取り付け穴１７に雄ネジを差し込み、壁Ｋにねじ込んで、メジャーボックス７の壁Ｋに対する固定を強固にする。これら取り付け穴１５、１７、雄ネジ３１及び必要に応じて取り付け穴１７へ差し込む雄ネジによって固定手段が構成されている。
メジャーボックス７の壁Ｋに対する固定位置は、身長を計測する者の身長より少し高い箇所とする。
【００１４】
次に、自らの身長を計測する者Ｍが摘み部２９を持って引き下げ、メジャー２７を引き出し口１１から付勢手段の付勢力に抗して引き出し、屈むようにして更に摘み部２９が床に付くまでメジャー２７を引き出す。メジャー２７は保持手段によって引き出された状態に保持される。
【００１５】
そして、図４に示すように摘み部２９を足の指で押さえて床上に固定してから立ち上がり、メジャー２７の頭頂部に対応する部分を指で挟む。次いで、頭を少しメジャー２７から離して、指で挟んでいる部分のメジャー２７の目盛を読む。このように、自らの身長を計測する者Ｍだけで身長を容易に計測することができる。
身長の計測が終了したら、ピン１４のメジャーボックス７の側板１２から突出する軸部１４ａを押す。これによりピン１４の頭部１４ｂによってメジャー装置２３の解除ボタン２６が押され、保持手段の保持が解除されて、メジャー２７が巻き取られ、摘み部２９が引き出し口１１の縁に引っ掛かったところで停止する。
【００１６】
このように、自らの身長を計測する者Ｍだけで容易に身長を計測することができるので、例えば子供でも大人に手伝ってもらうことなく自らの身長を計測することが可能である。また、前面パネル３には牛が振り返った姿のデザインが施され、しかも摘み部２９は牛の尾を模した形状にデザインされているので、特に子供が遊戯感覚で楽しみながら、身長を計測することができる。
また、身長計測器１は従来の身長計測器に比べて大掛かりなものでなく、コンパクトであるので、家庭用により適している。
【００１７】
以上、本考案の実施の形態について詳述してきたが、具体的構成は、この実施の形態に限られるものではなく、本考案の要旨を逸脱しない範囲における設計の変更などがあっても考案に含まれる。
例えば、前面パネルと摘み部のデザインは上記したものに限らず、他の動物、例えば豚とその尾、ロケットとその噴射炎、自動車とその廃棄炎等、前面パネルのデザインと摘み部のデザインが、両方が合わさることで完成されたデザインを為すものであれば如何なる組み合わせてあってもよい。
【図面の簡単な説明】
【００１８】
【図１】本考案の実施の形態に係る身長計測器の斜視図である。
【図２】図１の身長計測器を壁に取り付けた状態の縦断面図である。
【図３】図１の身長計測器を壁に取り付けた状態の横断面図である。
【図４】図１の身長計測器の使用方法を説明するための図である。
【符号の説明】
【００１９】
１  身長計測器      ２  本体部      ３  前面パネル      ５  引き出し口
７  メジャーボックス      ８  ボックス本体      ９  蓋
１０  前板      １２  側板      １１  引き出し口      １３  後板
１４  ピン      １４ａ  軸部      １４ｂ  頭部
１５  取り付け穴      １５ａ  円形部      １５ｂ  延長部
１６  丸穴      １７  取り付け穴      １９  溝
２３  メジャー装置      ２５  ケース      ２６  解除ボタン
２７  メジャー      ２８  ケースの開口      ２９  摘み部
３１  雄ネジ      ３１ａ  軸部      ３１ｂ  頭部
Ｋ  壁      Ｍ  自らの身長を計測する者
【図１】
0003116239.tif 000003
【図２】
0003116239.tif 000004
【図３】
0003116239.tif 000005
【図４】
0003116239.tif 000006